(57)【要約】【課題】相手コネクタと嵌合する時の静電気放電による突入電流を低減できる電気コネクタを提供する。【解決手段】本発明によれば、長手方向での端壁を有する主体部と、前記主体部の端壁に連設する取付部とを含む絶縁本体と、前記絶縁本体に装着された導電端子と、前記端壁及び取付部に装着された接地部材とを含む電気コネクタにおいて、前記接地部材は、前記端壁に沿って延出するための接触部材と、前記取付部にそれぞれ保持される電流制限部材及び接続部材とを含み、前記電流制限部材は前記接触部材及び接続部材にそれぞれ連接していることを特徴とする。【選択図】図３
2009212080.tif 000002
【特許請求の範囲】
【請求項１】
長手方向での端壁を有する主体部と、前記主体部の端壁に連設する取付部とを含む絶縁本体と、
前記絶縁本体に装着された導電端子と、
前記端壁及び取付部に装着された接地部材と
を含む電気コネクタにおいて、
前記接地部材は、前記端壁に沿って延出するための接触部材と、前記取付部にそれぞれ保持される電流制限部材及び接続部材とを含み、前記電流制限部材は前記接触部材及び接続部材にそれぞれ連接していることを特徴とする電気コネクタ。
【請求項２】
前記電流制限部材は、高電気抵抗率の導電性樹脂または金属部材であることを特徴とする、請求項１に記載の電気コネクタ。
【請求項３】
前記電流制限部材は、前記接触部材と接続部材とに弾性的な当接または半田付け作業により連接することを特徴とする、請求項２に記載の電気コネクタ。
【請求項４】
前記端壁には、前記接触部材に収容するための保持溝が形成され、前記接触部材は前記保持溝に突出するように形成されたコンタクト部を有することを特徴とする、請求項３に記載の電気コネクタ。
【請求項５】
前記主体部は、対向するように配置される両端壁と、前記両端壁を連接するための両側壁とを有し、前記両端壁と両側壁によって収容空間が形成し、前記両端壁には接地部材をそれぞれ配置されることを特徴とする、請求項４に記載の電気コネクタ。
【請求項６】
前記端壁には案内ポストがそれぞれ形成され、前記接触部材が前記案内ポストに係合することを特徴とする、請求項５に記載の電気コネクタ。
【発明の詳細な説明】
【技術分野】
【０００１】
本発明は電気コネクタに関し、特に、接地部材を有する電気コネクタに関するものである。
【背景技術】
【０００２】
従来技術は特許文献１に示すように、従来の電気コネクタは絶縁本体と、絶縁本体に装着される複数の端子と、絶縁本体を覆う金属シェルと、を含む。前記絶縁本体は対向するように配置される側壁と、中空状の相手コネクタを収容するための収容空間と、両端部に配置される相手コネクタをガイドするための案内ポストとを含み、前記案内ポストには金属シェルに接続するための接地部材が配置される。相手コネクタに嵌合する際に、前記接地部材が相手コネクタの金属シェルに接続することによって、相手コネクタの静電気を放電し、回路基板の電磁波ノイズと静電気等による影響を確実に防ぐことをできる。
【先行技術文献】
【特許文献】
【０００３】
【特許文献１】中国実用新案公告第２５９６６０８Ｙ号明細書
【発明の概要】
【発明が解決しようとする課題】
【０００４】
しかしながら、接地部材が相手コネクタの金属シェルに接続する際に、嵌合時の静電気放電による突入電流は回路基板の導電ラインを損害する恐れがあった。そこで、上述した欠点に鑑みて、新型な電気コネクタを開発することが必要である。
【０００５】
本発明は、相手コネクタと嵌合する時の静電気放電による突入電流を低減できる電気コネクタを提供することを目的とする。
【課題を解決するための手段】
【０００６】
前記目的を達成するために、本発明によれば、長手方向での端壁を有する主体部と、前記主体部の端壁に連設する取付部とを含む絶縁本体と、前記絶縁本体に装着された導電端子と、前記端壁及び取付部に装着された接地部材とを含む電気コネクタにおいて、前記接地部材は、前記端壁に沿って延出するための接触部材と、前記取付部にそれぞれ保持される電流制限部材及び接続部材とを含み、前記電流制限部材は前記接触部材及び接続部材にそれぞれ連接していることを特徴とする。
【発明の効果】
【０００７】
従来の技術に比べると、本発明は以下の長所がある。相手コネクタに嵌合する際に、前記接地部材の接触部材が相手コネクタの金属シェルに接続することによって、静電気放電による突入電流は接触部材と、接続部材と、電流制限部材とを順に通過するラインに沿って電気コネクタ外に放電され、電流制限部材が高電気抵抗率の部材であるので突入電流を減少させ、回路基板の導電ラインの損害を防ぐ。
【図面の簡単な説明】
【０００８】
【図１】本発明に係る電気コネクタの斜視図である。
【図２】本発明に係る電気コネクタの分解斜視図である。
【図３】図１に示す電気コネクタのＡ-Ａ線に沿う断面図である。
【発明を実施するための形態】
【０００９】
図１〜図３に基づいて、本発明の電気コネクタについての実施形態を説明する。本発明の電気コネクタは絶縁本体１と、複数の信号を伝送するための導電端子２と、絶縁本体１を覆うための金属シェル４と、絶縁本体１の取り付けられる接地部材３とを含む。
【００１０】
絶縁本体１は、長手方向での主体部（参照記号なし）と、該主体部の両端部に形成される取付部１１とを有する。主体部は、長手方向での対向するように配置される一対の側壁１２と、前記一対の側壁１２を連接するための対向するように配置される一対の端壁１３とを有し、前記両側壁１２と両端壁１３とによって相手コネクタ（図示せず）を嵌合するための収容空間１０が囲んで形成され、前記主体部と取付部１１とは回路基板（図示せず）へ実装するための取付面を有し、前記両端壁１３には主体部を突出する案内ポストがそれぞれ配置され、前記取付部１１は前記端壁１３に一体に連設している。
【００１１】
前記両端壁１３には、開放した保持溝１３０が形成され、保持溝１３０が案内ポストを貫通し、前記取付部１１には保持溝１３０に連通する収容溝１１０が形成され、収容溝１１０の底部には収容溝１１０に連通し、取付部１１の取付面を貫通する固定溝１１１が形成される。
【００１２】
前記絶縁本体１の側壁１２には端子溝（参照記号なし）が形成され、前記導電端子２が端子溝に対応するように収容される。前記金属シェル４は絶縁本体１の側壁１２の外周に覆うことによって、電磁波ノイズと静電気等が導電端子２の影響を防ぐことができる。
【００１３】
前記接地部材３は、コンタクト部３１１を有する接触部材３１と、半田付け部３２１を有する接続部材３２と、電流制限部材３３と、を含む。図３を参照すると、前記接触部材３１は保持溝１３０に保持され、コンタクト部３１１が保持溝１３０を突出し、接触部材３１の末端が案内ポストに係合する。前記接続部材３２は固定溝１１０に収容され、半田付け部３２１が取付部１１の取付面を突出し回路基板に半田付けされる。電流制限部材３３は収容溝１１０に収容され、前記接触部材３１及び接続部材３２にそれぞれ接続し、接触部材３１及び接続部材３２の間の電気抵抗を向上させ、相手コネクタと嵌合する時の静電気放電による突入電流を低減させる。前記電流制限部材３３は高電気抵抗率の導電性樹脂または金属部材等である。電流制限部材３３は半田付け作業又は弾性的な当接によって接触部材３１及び接続部材３２にそれぞれ連設する。
【００１４】
本発明の電気コネクタが相手コネクタに嵌合する際に、前記接地部材３の接触部材３１が相手コネクタの金属シェルに接続することによって、静電気放電による突入電流は接触部材３１と、接続部材３２と、電流制限部材３３とを順に通過するラインに沿って電気コネクタ外に放電され、電流制限部材３３が高電気抵抗率の部材であるので突入電流を減少させ、回路基板の導電ラインの損害を防ぐ。
【００１５】
以上本発明についてよい実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【符号の説明】
【００１６】
１  絶縁本体
２  導電端子
３  接地部材
４  金属シェル
１０  収容空間
１１  取付部
１２  側壁
１３  端壁
１１０  収容溝
１１１  固定溝
１３０  保持溝
３１  接触部材
３２  接続部材
３３  電流制限部材
３１１  コンタクト部
３２１  半田付け部
【図１】
2009212080.tif 000003
【図２】
2009212080.tif 000004
【図３】
2009212080.tif 000005